(57)【要約】【課題】燃焼ガスの燃焼残渣の捕捉効果が高い筒状のガス発生器フィルタの提供。【解決手段】金属線材が巻き付けられたものからなる筒状のガス発生器用フィルタであって、前記金属線材が、一面側に長さ方向に間隔をおいて複数の凹部を有しているものであり、前記金属線材の凹部を有する面が、前記筒状のガス発生器用フィルタの内周面側を向いた状態で巻き付けられているものであり、前記金属線材の凹部が、前記筒状フィルタの内周面から外周面を形成する金属線材の内側まで存在しているものである、筒状のガス発生器用フィルタ。【選択図】なし【特許請求の範囲】
【請求項１】
金属線材が巻き付けられたものからなる筒状のガス発生器用フィルタであって、
前記金属線材が、一面側に長さ方向に間隔をおいて複数の凹部を有しているものであり、
前記金属線材の凹部を有する面が、前記筒状のガス発生器用フィルタの内周面側を向いた状態で巻き付けられているものであり、
前記金属線材の凹部が、前記筒状フィルタの内周面から外周面を形成する金属線材の内側までに存在しているものである、筒状のガス発生器用フィルタ。
【請求項２】
前記金属線材の幅方向の断面形状が矩形であるとき、前記凹部が幅方向に対向する二つの側面にわたって形成された溝状のものであり、
前記金属線材の幅方向の断面形状が円形または楕円形であるとき、前記凹部が前記金属線材の全周の１／３以下の面に形成されているものである、請求項１記載の筒状のガス発生器用フィルタ。
【請求項３】
前記筒状のガス発生器用フィルタの内周面の面積中の凹部の占有面積（ａ１）が５０％以上のものである、請求項１または２記載の筒状のガス発生器用フィルタ。
【請求項４】
前記筒状のガス発生器用フィルタの厚さ（ｔ）（内周面から外周面までの距離）のうち、前記内周面から１／２ｔ以下までの厚さ範囲の前記内周面側の金属線材の面積中の凹部の占有面積（ａ２）が５０％以上であり、前記内周面から１／２から前記外周面までの厚さ範囲の前記内周面側の金属線材の面積中の凹部の占有面積（ａ３）が５０％未満のものである、請求項１または２記載の筒状のガス発生器用フィルタ。
【請求項５】
請求項１または２記載の筒状のガス発生器用フィルタの製造方法であって、
金属製の芯棒に対して金属線材を巻き付けていく工程と、その後に焼結して前記巻き付けられた金属線材同士の接触部分の全部または一部を接合する工程を有しており、
前記金属線材が、一面側に長さ方向に間隔をおいて複数の凹部を有しているものであり、
前記金属線材を巻き付ける工程が、前記複数の凹部を有する面が内側になるように金属線材を巻き付けていく工程である、ガス発生器用フィルタの製造方法。
【請求項６】
請求項３または４記載の筒状のガス発生器用フィルタの製造方法であって、
金属製の芯棒に対して金属線材を巻き付けていく工程と、その後に焼結して前記巻き付けられた金属線材同士の接触部分の全部または一部を接合する工程を有しており、
前記金属線材が、一面側に長さ方向に間隔をおいて複数の凹部を有しており、かつ巻き始め部となる第１端部から、巻き終わり部となる第２端部寄りになるにつれて、凹部の形成間隔が広くなっているものであり、
前記金属線材を巻き付ける工程が、前記複数の凹部を有する面が内側になるように金属線材を巻き付けていく工程である、ガス発生器用フィルタの製造方法。
【請求項７】
集合体ユニットからなるガス発生器用フィルタであって、
前記集合体ユニットが、一面側に長さ方向に間隔をおいて複数の凹部を有している第１金属線材の複数本からなる第１金属線材群と、一面側に長さ方向に間隔をおいて複数の凹部を有している第２金属線材の複数本からなる第２金属線材群の組み合わせからなるものであり、
前記第１金属線材群と前記第２金属線材群の組み合わせが、複数本の第１金属線材が前記凹部を有する面が上になるようにして、かつ間隔をおいて並列配置された第１金属線材群と、前記第１金属線材群の上で、かつ前記第１金属線材群と交差する方向に間隔をおいて複数本が並列配置された第２金属線材群の組み合わせからなり、前記第１金属線材群の凹部と前記第２金属線材群の凹部が露出されているものであり、
集合体ユニットが、前記集合体ユニットの露出された凹部が同方向に向いたものである、柱状または筒状のガス発生器用フィルタ。
【請求項８】
集合体ユニットからなるガス発生器用フィルタであって、
前記集合体ユニットが、一面側に長さ方向に間隔をおいて複数の凹部を有している第１金属線材の複数本からなる第１金属線材群と、一面側に長さ方向に間隔をおいて複数の凹部を有している第２金属線材の複数本からなる第２金属線材群の組み合わせからなるものであり、
前記第１金属線材群と前記第２金属線材群の組み合わせが、複数本の第１金属線材と複数本の第２金属線材が、それぞれの前記凹部を有する面が上になるようにして、かつ互いに交差するようにして織り込まれ、前記第１金属線材群の凹部と前記第２金属線材群の凹部が露出されているものであり、
複数の集合体ユニットの積層体が、前記集合体ユニットの露出された凹部が同方向に向いたものである、柱状または筒状のガス発生器用フィルタ。
【請求項９】
前記第１金属線材の幅方向の断面形状と前記第２金属線材の幅方向の断面形状がそれぞれ矩形であるとき、前記凹部が、前記凹部を有する面に繋がる両側面にわたって形成された溝状のものであり、
前記第１金属線材の幅方向の断面形状と前記第２金属線材の幅方向の断面形状がそれぞれ円形または楕円形であるとき、前記凹部が、前記第１金属線材および前記第２金属線材の全周の１／３以上の面にわたるものである、請求項７または８記載の柱状または筒状のガス発生器用フィルタ。
【請求項１０】
請求項７〜９の何れか１項記載のガス発生器用フィルタを構成する集合体ユニットが、上下方向に隣接する集合体ユニット同士が互いにずらされて積層された積層体を形成しており、それぞれの集合体ユニットが有している第１金属線材群の凹部と第２金属線材群の凹部が、隣接する集合体ユニットの第１金属線材群または第２金属線材群でふさがれないように調整されているものであるガス発生器用フィルタ。
【請求項１１】
請求項７記載のガス発生器用フィルタを構成する集合体ユニットから柱状または筒状のガス発生器用フィルタを製造する製造方法であって、
前記第１金属線材群の上に前記第２金属線材群を置き、接触部分を固定することで集合体ユニットを製造する第１工程と、
前記集合体ユニットを複数積層した後、焼結することで接触部分の全部または一部を融着して、積層体を得る第２工程、
前記積層体を柱状または筒状に打ち抜く第３工程を有しており、
前記第１工程が、
前記第１金属線材群と前記第２金属線材群が、一面側に長さ方向に間隔をおいて複数の凹部を有している金属線材が、前記凹部が露出されるようにして、かつ間隔をおいて複数本が並列配置されたものであり、
前記第１金属線材群の上に前記第２金属線材群を置くとき、前記第１金属線材群の凹部を有している面の上で、前記凹部がない部分の上に前記第１金属線材群の長さ方向と交差する方向に前記第２金属線材群の凹部を有していない面を置くものであり、
前記第１金属線材群と前記第２金属線材群の接触部分を固定する方法が、焼結することで接触部分を接合させる工程か、前記第１金属線材群または前記第２金属線材群を金属鍍金したものを用い、鍍金金属を溶融させて融着させるものである、ガス発生器用フィルタの製造方法。
【請求項１２】
請求項８記載のガス発生器用フィルタを構成する集合体ユニットから柱状または筒状のガス発生器用フィルタを製造する製造方法であって、
前記第１金属線材群と前記第２金属線材群を織り込むことで、集合体ユニットを製造する第１工程と、
前記集合体ユニットを複数積層した後、焼結することで接触部分の全部または一部を融着して、積層体を得る第２工程、
前記積層体を柱状または筒状に打ち抜く第３工程を有しており、
前記第１工程が、前記第１金属線材群を形成する第１金属線材と前記第２金属線材群を形成する第２金属線材を、それぞれの前記凹部を有する面が上になるようにして、前記第１金属線材の凹部の上に前記第２金属線材の凹部のない面が被覆せず、かつ前記第２金属線材の凹部の上に前記第１金属線材の凹部のない面が被覆しないように交差して織り込む工程である、ガス発生器用フィルタの製造方法。
【請求項１３】
前記第２工程が、上下方向に隣接する集合体ユニット同士を互いにずらすことで、下方の集合体ユニットが有している第１金属線材群の凹部と第２金属線材群の凹部の上に、上方の第１金属線材群の凹部を有していない面が位置しないように調整する工程である、請求項１１または１２記載の柱状または筒状のガス発生器用フィルタの製造方法。
【請求項１４】
請求項１〜４、７〜１０のいずれか１項記載のガス発生器用フィルタを使用したガス発生器。
【発明の詳細な説明】
【技術分野】
【０００１】
本発明は、自動車に搭載するエアバッグ装置用のガス発生器に使用することができるガス発生器用フィルタと、それを使用したガス発生器に関する。
【背景技術】
【０００２】
ガス発生源としてガス発生剤を使用するガス発生器では、燃焼ガス中の燃焼残渣をろ過するため、および燃焼ガスを冷却するためのフィルタを使用している。
フィルタは、金属線材を巻き付けた筒状の成形体のもの、金網を積層したものを圧縮成形したものなどが知られている。
【０００３】
特許文献１には、ガス発生器用フィルタと、それを使用したガス発生器の発明が記載されており、前記ガス発生器用フィルタは、金属線材の巻回体または編組体にて構成された中空筒状のものである。
図１、図２に示す中空円筒状のフィルタ７０A は、燃焼室６０を取り囲むようにガス発生器１の内部に配置されている。燃焼室６０にはガス発生剤６１が充填されており、当該ガス発生剤６１は点火器４０によって着火した伝火薬５６からの火炎で燃焼を開始するものである。
特許文献１で使用されているフィルタ７０A は、線材７１を芯材に複数層巻回した後、芯材を抜き、焼結のための熱処理をして金属線材７１を相互に焼き付けて一体化したものである（段落番号００８４〜００８６）。
線材７１は、図３または図４に示すように長さ方向に沿って連続的に伸びる溝部７２を有する、断面形状がコの字のものである。溝部７２は燃焼室６０側を向くように形成されており、燃焼室６０から流れてくる燃焼ガス中の残渣が溝部７２に引っかかりやすくなっている。
【０００４】
特許文献１では、上記のとおり線材の断面形状がコの字となっているため、芯材に線材７１を巻き付けたとき、厚さ方向に隣接する線材７１同士の接触面積が小さくなるため、焼結した後のフィルタ全体の強度を十分に高めることができない場合がある。
【先行技術文献】
【特許文献】
【０００５】
【特許文献１】特開２０１４−２３７３８９号公報
【発明の概要】
【発明が解決しようとする課題】
【０００６】
本発明は、燃焼ガス中の燃焼残渣の捕捉効果と燃焼ガスの冷却効果が高く、フィルタ全体の剛性も維持されているガス発生器用フィルタと、それを使用したガス発生器を提供することを課題とする。
【課題を解決するための手段】
【０００７】
本発明（第１実施形態）は、金属線材が巻き付けられたものからなる筒状のガス発生器用フィルタであって、
前記金属線材が、一面側に長さ方向に間隔をおいて複数の凹部を有しているものであり、
前記金属線材の凹部を有する面が、前記筒状のガス発生器用フィルタの内周面側を向いた状態で巻き付けられているものであり、
前記金属線材の凹部が、前記筒状フィルタの内周面から外周面を形成する金属線材の内側までに存在しているものである、筒状のガス発生器用フィルタを提供する。
【０００８】
第１実施形態のガス発生器用フィルタは筒状で、金属線材が巻き付けられてなるものである。金属線材同士の接触部分の全部または一部は、接合された状態になっている。
ガス発生器用フィルタの剛性を維持するためには、金属線材同士の接触部分の全部または大部分が接合されていることが好ましいが、ガス発生器用フィルタとして正常に機能する程度の剛性が維持されていれば、内表面から外表面の間の一部に接合されていない部分が存在してもよい。
【０００９】
金属線材は、鉄、銅めっきされた鉄などからなるものが好ましい。
金属線材の幅方向の断面形状は特に制限されるものではなく、円形、楕円形、長方形、長方形で四隅の角が丸くなっているもの、正方形、正方形で四隅の角が丸くなっているものなどにすることができる。
【００１０】
金属線材は、一面側に長さ方向に間隔をおいて複数の凹部を有しているものである。
金属線材の幅方向の断面形状が円形または楕円形であるときの一面側は、全周の１／２周に相当する部分であり、凹部の中心（面積中心）は１／２周の中間位置にあってもよいし、片寄った位置にあってもよい。
金属線材の幅方向の断面形状が矩形（長方形または正方形）であるときの一面側は、いずれか一方の長辺側の一面であり、凹部の中心は幅方向の中間位置にあってもよいし、片寄った位置にあってもよい。
凹部は、一面（凹部を有している面）の平面または曲面に形成されたものであり、前記平面または前記曲面よりも深くなっている部分であればよい。
凹部の形状は特に制限されるものではなく、円形、楕円形、正方形、長方形、不定形などの所望形状にすることができる。
凹部の深さは、金属線材自体の強度を維持するため、金属線材の厚さの１／２以下が好ましく、１／３以下がより好ましい。
凹部の間隔は特に制限されるものではないが、凹部形状を直径（Ｄ）の円形としたとき、金属線材自体の強度を維持するため、一つの凹部と隣接する凹部の間隔は２Ｄ以上であることが好ましい。
【００１１】
また凹部は、金属線材の一面に長さ方向に間隔をおいて形成されており、凹部の面積は特許文献１の溝部の面積に比べるとかなり小さいため、金属線材同士の凹部がない部分の接触面積は十分に確保されている。このため、フィルタ全体の剛性もガス発生器に使用したときに十分に機能する程度にまで維持されている。
金属線材における凹部の長さ方向の間隔は、均一間隔でもよいし、不均一間隔でもよい。凹部の長さ方向の間隔が不均一であるとき、凹部が形成されていない部分の長さは特に制限されるものではなく、凹部が形成されている長さ領域部分と凹部が形成されていない長さ領域部分が混在されているものでもよい。
筒状のガス発生器用フィルタは、前記金属線材の凹部を有する面が内周面側を向いた状態で巻き付けられているものであるため、凹部は内周面から外周面を形成する金属線材の内側面までに存在している。
筒状のガス発生器用フィルタは、内周面から外周面を形成する金属線材の内側面までの範囲において均等間隔で凹部が存在しているようにすることができるが、金属線材において凹部が形成されていない領域部分の長さを調整することで、筒状フィルタの内周面から外周面を形成する金属線材の内側面のうち、凹部が存在しない厚さ範囲部分が１箇所または複数箇所存在するようにすることもできる。
例えば、筒状フィルタの内周面（０）から外周面（１００）までの厚さを１００（１００％）としたとき、内周面からの距離が１０〜１２％の厚さ範囲、４０〜４２％の厚さ範囲、７０〜７２％の厚さ範囲に凹部が存在しないようにすることができ、凹部のない厚さ範囲の幅、凹部のない厚さ範囲の位置、および凹部のない厚さ範囲の数は適宜調整することができる。
このように凹部が存在しない厚さ範囲部分を形成する実施形態にしたときは、線材同士の接触面積が大きくなることから接合強度を高めることができるため、筒状フィルタ全体の強度を高めることができるようになる。
【００１２】
第１実施形態のガス発生器用フィルタは、金属線材の凹部が内周面側を向いた状態になっている。
第１実施形態のガス発生器用フィルタをガス発生器に使用するときは、ガス発生器用フィルタの内側が、ガス発生剤が充填された燃焼室となる。このため、燃焼ガスは、ガス発生器用フィルタの内周面から外周面に向かって流れることになる。
このとき、燃焼ガス中に含まれている燃焼残渣は、フィルタ全体でろ過されることになるが、その過程において金属線材が有している凹部によって捕捉され易くなっているため、燃焼残渣の捕捉効果が高められている。
また金属線材は凹部を有している分だけ、凹部のない金属線材と比べると表面積が大きくなっているため、燃焼ガスとの接触面積も大きくなり、冷却効果も高められている。
【００１３】
第１実施形態のガス発生器用フィルタの好ましい実施形態（第２実施形態）は、前記金属線材の幅方向の断面形状が矩形であるとき、前記凹部が幅方向に対向する二つの側面にわたって形成された溝状のものであり、
前記金属線材の幅方向の断面形状が円形または楕円形であるとき、前記凹部が前記金属線材の全周の１／３以下の面に形成されているものである。
【００１４】
第２実施形態の金属線材を使用すると、芯棒に巻き付けてフィルタを成形するとき、前記形状の凹部が金属線材を巻き付けたときの歪みを逃がすように作用するため、巻き付け作業が容易になるので好ましい。
【００１５】
第１実施形態のガス発生器用フィルタの好ましい実施形態（第３実施形態）は、前記筒状のガス発生器用フィルタの内周面の面積中の凹部の占有面積（ａ１）が５０％以上のものである。
【００１６】
第３実施形態のガス発生器用フィルタをガス発生器に使用するときは、最初に筒状のガス発生器用フィルタの内周面を燃焼ガスが通過するため、内周面における凹部の占有面積が大きいと、より燃焼ガス中の燃焼残渣の捕捉効果が高められるので好ましい。
【００１７】
第１実施形態のガス発生器用フィルタの好ましい実施形態（第４実施形態）は、前記筒状のガス発生器用フィルタの厚さ（ｔ）（内周面から外周面までの距離）のうち、前記内周面から１／２ｔ以下までの厚さ範囲の前記内周面側の金属線材の面積中の凹部の占有面積（ａ２）が５０％以上であり、前記内周面から１／２から前記外周面までの厚さ範囲の前記内周面側の金属線材の面積中の凹部の占有面積（ａ３）が５０％未満のものである。
【００１８】
筒状のガス発生器用フィルタ（筒状フィルタ）の内周面から１／２厚さまで（内側の半分）の凹部の占有面積は、前記１／２厚さから外周面まで（外側の半分）における凹部の占有面積よりも大きくなっている。
第４実施形態の筒状フィルタをガス発生器に使用するときは、筒状フィルタの内周面から外周面に燃焼ガスが通過するため、第３実施形態の筒状フィルタを使用することで、筒状フィルタの内側の半分における燃焼ガス中の燃焼残渣の捕捉効果が高められると共に、外側の半分における金属線材同士の接触面積が高められるため、筒状フィルタの剛性が高められるので好ましい。
【００１９】
本発明は、第１実施形態または第２実施形態の筒状のガス発生器用フィルタの製造方法（製造方法の第１実施形態）であって、
金属製の芯棒に対して金属線材を巻き付けていく工程と、その後に焼結して前記巻き付けられた金属線材同士の接触部分を接合する工程を有しており、
前記金属線材が、一面側に長さ方向に間隔をおいて複数の凹部を有しているものであり、
前記金属線材を巻き付ける工程が、前記複数の凹部を有する面が内側になるように金属線材を巻き付けていく工程である、ガス発生器用フィルタの製造方法を提供する。
【００２０】
製造方法の第１実施形態の発明は、一面側に長さ方向に間隔をおいて複数の凹部を有している金属線材を使用することを除いては、特許文献１の発明における筒状フィルタの製造方法（例えば段落番号００８４、００８５、００８６）と同じである。
しかし、特許文献１の発明の筒状フィルタと比べると、金属線材同士の接触面積が大きくなり、金属線材同士の接触部分を接合させたときの剛性が大きくなるので好ましいい。
【００２１】
本発明は、第３実施形態または第４実施形態の筒状のガス発生器用フィルタの製造方法（製造方法の第２実施形態）であって、
金属製の芯棒に対して金属線材を巻き付けていく工程と、その後に焼結して前記巻き付けられた金属線材同士の接触部分の全部または一部を接合する工程を有しており、
前記金属線材が、一面側に長さ方向に間隔をおいて複数の凹部を有しており、かつ巻き始め部となる第１端部から、巻き終わり部となる第２端部寄りになるにつれて、凹部の形成間隔が広くなっているものであり、
前記金属線材を巻き付ける工程が、前記複数の凹部を有する面が内側になるように金属線材を巻き付けていく工程である、ガス発生器用フィルタの製造方法を提供する。
【００２２】
製造方法の第２実施形態の発明は、凹部の間隔が一定でないことを除いては、特許文献１の発明における筒状フィルタの製造方法（例えば段落番号００８４、００８５、００８６）と同じである。
しかし、特許文献１の発明の筒状フィルタと比べると、金属線材同士の接触面積が大きくなり、金属線材同士の接触部分を接合させたときの剛性が大きくなるので好ましい。特に筒状フィルタの外側半分の剛性が大きくなるので、筒状フィルタ全体の形状保持の点からより好ましい。
【００２３】
本発明（第５実施形態）は、集合体ユニットからなるガス発生器用フィルタであって、
前記集合体ユニットが、一面側に長さ方向に間隔をおいて複数の凹部を有している第１金属線材の複数本からなる第１金属線材群と、一面側に長さ方向に間隔をおいて複数の凹部を有している第２金属線材の複数本からなる第２金属線材群の組み合わせからなるものであり、
前記第１金属線材群と前記第２金属線材群の組み合わせが、複数本の第１金属線材が前記凹部を有する面が上になるようにして、かつ間隔をおいて並列配置された第１金属線材群と、前記第１金属線材群の上で、かつ前記第１金属線材群と交差する方向に間隔をおいて複数本が並列配置された第２金属線材群の組み合わせからなり、前記第１金属線材群の凹部と前記第２金属線材群の凹部が露出されているものであり、
集合体ユニットが、前記集合体ユニットの露出された凹部が同方向に向いたものである、柱状または筒状のガス発生器用フィルタを提供する。
【００２４】
第５実施形態のガス発生器用フィルタは、第１金属線材群と第２金属線材群の組み合わせにおいて、第１金属線材群と第２金属線材群が互いに直角または斜めに交差するようにされている。斜めに交差するときの交差角度は特に制限されるものではないが、例えば、４５度〜９０度未満の範囲にすることができる。
集合体ユニットを形成する第１金属線材群と第２金属線材群の接触部分の全部または一部は接合されている。
第５実施形態のガス発生器用フィルタは、それを形成する全ての金属線材（第１金属線材と第２金属線材）が有している凹部が同じ向きを向いている。
例えば、第５実施形態のガス発生器用フィルタが円柱状であり、第１端面と、反対側の第２端面と、周面からなるものであるとき、全ての凹部は第１端面側または第２端面側を向いている。
第５実施形態のガス発生器用フィルタとして全ての凹部が第１端面側を向いているガス発生器用フィルタを使用するときは、燃焼室からの燃焼ガス流に対向する方向に第１端面が位置するように配置することで、前記凹部による燃焼ガス中の燃焼残渣の捕捉効果が高められるので好ましい。
【００２５】
本発明（第６実施形態）は、集合体ユニットからなるガス発生器用フィルタであって、
前記集合体ユニットが、一面側に長さ方向に間隔をおいて複数の凹部を有している第１金属線材の複数本からなる第１金属線材群と、一面側に長さ方向に間隔をおいて複数の凹部を有している第２金属線材の複数本からなる第２金属線材群の組み合わせからなるものであり、
前記第１金属線材群と前記第２金属線材群の組み合わせが、複数本の第１金属線材と複数本の第２金属線材が、それぞれの前記凹部を有する面が上になるようにして、かつ互いに交差するようにして織り込まれ、前記第１金属線材群の凹部と前記第２金属線材群の凹部が露出されているものであり、
複数の集合体ユニットの積層体が、前記集合体ユニットの露出された凹部が同方向に向いたものである、柱状または筒状のガス発生器用フィルタを提供する。
【００２６】
第６実施形態の円柱状または筒状のガス発生器用フィルタは、第１金属線材群と第２金属線材群が互いに織り込まれた状態になっていることが第５実施形態のガス発生器用フィルタと異なっているほかは同じものである。
第１金属線材群と第２金属線材群の織り方は特に制限されるものではなく、公知の平織りや畳織りなどを適用することができる。
【００２７】
第５実施形態または第６実施形態の好ましい実施形態（第７実施形態）の円柱状または筒状のガス発生器用フィルタは、前記第１金属線材の幅方向の断面形状と前記第２金属線材の幅方向の断面形状がそれぞれ矩形であるとき、前記凹部が、前記凹部を有する面に繋がる両側面にわたって形成された溝状のものであり、
前記第１金属線材の幅方向の断面形状と前記第２金属線材の幅方向の断面形状がそれぞれ円形または楕円形であるとき、前記凹部が、前記第１金属線材および前記第２金属線材の全周の１／３以上の面にわたるものである。
【００２８】
第７実施形態の集合体ユニットを使用すると、フィルタの断面形状を任意の形に設定しやすくなるので好ましい。
【００２９】
本発明（第８実施形態）は、第５実施形態〜第７実施形態のガス発生器用フィルタを構成する集合体ユニットが、上下方向に隣接する集合体ユニット同士が互いにずらされて積層された積層体を形成しており、それぞれの集合体ユニットが有している第１金属線材群の凹部と第２金属線材群の凹部が、隣接する集合体ユニットの第１金属線材群または第２金属線材群でふさがれないように調整されているものであるガス発生器用フィルタを提供する。
【００３０】
一つの集合体ユニットを形成する第１金属線材群と第２金属線材群の凹部は露出されているが、複数の集合体ユニットを積層するとき、下になる集合体ユニットの凹部が上になる集合体ユニットで覆われた状態になる場合がある。
そのような場合には、露出されている凹部の数（凹部の面積）が減少するため、前記凹部による燃焼ガス中の燃焼残渣の捕捉効果が低下する。
このため、上下方向に隣接する集合体ユニット同士が互いにずらされていることで、各集合体ユニットにおいて露出される凹部の数（凹部の面積）が低下することを抑制することができるので好ましい。ずらす方向は、断面形状が円の場合、水平方向以外にも円周方向がある。
【００３１】
本発明は、第５実施形態のガス発生器用フィルタを構成する集合体ユニットから柱状または筒状のガス発生器用フィルタを製造する製造方法（製造方法の第３実施形態）であって、
前記第１金属線材群の上に前記第２金属線材群を置き、接触部分を固定することで集合体ユニットを製造する第１工程と、
前記集合体ユニットを複数積層した後、焼結することで接触部分の全部または一部を融着して、積層体を得る第２工程、
前記積層体を柱状または筒状に打ち抜く第３工程を有しており、
前記第１工程が、
前記第１金属線材群と前記第２金属線材群が、一面側に長さ方向に間隔をおいて複数の凹部を有している金属線材が、前記凹部が露出されるようにして、かつ間隔をおいて複数本が並列配置されたものであり、
前記第１金属線材群の上に前記第２金属線材群を置くとき、前記第１金属線材群の凹部を有している面の上で、前記凹部がない部分の上に前記第１金属線材群の長さ方向と交差する方向に前記第２金属線材群の凹部を有していない面を置くものであり、
前記第１金属線材群と前記第２金属線材群の接触部分を固定する方法が、焼結することで接触部分を接合させる工程か、前記第１金属線材群または前記第２金属線材群を金属鍍金したものを用い、鍍金金属を溶融させて融着させるものである、ガス発生器用フィルタの製造方法を提供する。
【００３２】
第２工程において集合体ユニットの積層体を焼結するため、第１工程では、集合体ユニットを形成する第１金属線材群と第２金属線材群の接触部分は、焼結により接合する。または第１金属線材群または第２金属線材群を金属鍍金したものを用い、鍍金金属を溶融させて融着させてもよい。
【００３３】
本発明は、第６実施形態のガス発生器用フィルタを構成する集合体ユニットから柱状または筒状のガス発生器用フィルタを製造する製造方法（製造方法の第４実施形態）であって、
前記第１金属線材群と前記第２金属線材群を織り込むことで、集合体ユニットを製造する第１工程と、
前記集合体ユニットを複数積層した後、焼結することで接触部分の全部または一部を融着して、積層体を得る第２工程、
前記積層体を柱状または筒状に打ち抜く第３工程を有しており、
前記第１工程が、前記第１金属線材群を形成する第１金属線材と前記第２金属線材群を形成する第２金属線材を、それぞれの前記凹部を有する面が上になるようにして、前記第１金属線材の凹部の上に前記第２金属線材の凹部のない面が被覆せず、かつ前記第２金属線材の凹部の上に前記第１金属線材の凹部のない面が被覆しないように交差して織り込む工程である、ガス発生器用フィルタの製造方法を提供する。
【００３４】
製造方法の第４実施形態では、第１金属線材と第２金属線材を織り込んで集合体を製造するため、上記した製造方法の第３実施形態のように一つの集合体における第１金属線材群と第２金属線材群を固定するための作業が不要になる。
【００３５】
製造方法の第３実施形態または製造方法の第４実施形態の好ましい円柱状または筒状のガス発生器用フィルタの製造方法は、前記第２工程が、上下方向に隣接する集合体ユニット同士を互いにずらすことで、下方の集合体ユニットが有している第１金属線材群の凹部と第２金属線材群の凹部の上に、上方の第１金属線材群の凹部を有していない面が位置しないように調整する工程である。
【００３６】
一つの集合体ユニットを形成する第１金属線材群と第２金属線材群の全ての凹部は露出されているが、複数の集合体ユニットを積層するとき、下になる集合体ユニットの凹部が上になる集合体ユニットで覆われた状態になる場合がある。
そのような場合には、露出されている凹部の数（凹部の面積）が減少するため、前記凹部による焼ガス中の燃焼残渣の捕捉効果が低下する。
このため、上下方向に隣接する集合体ユニット同士が互いにずらされていることで、各集合体ユニットにおいて露出される凹部の数（凹部の面積）が低下することを抑制することができるので好ましい。ずらす方向は断面形状が円の場合、水平方向以外にも円周方向がある。
【００３７】
本発明は、第１実施形態〜第６実施形態のいずれか一つのガス発生器用フィルタを使用したガス発生器を提供する。
第１実施形態〜第６実施形態のガス発生器用フィルタは、いずれも金属線材が有している凹部の全てが同じ方向を向いている。
このため、第１実施形態〜第６実施形態のガス発生器用フィルタをガス発生器内に配置するとき、燃焼ガス流に対して前記凹部が対向できるように配置することで、燃焼ガス中の燃焼残渣の捕捉効果と燃焼ガスの冷却効果が高められる。
【発明の効果】
【００３８】
本発明のガス発生器用フィルタは、前記フィルタを形成する金属線材が燃焼ガス流に対向する面に凹部を有しているため、燃焼ガス中の燃焼残渣の捕捉効果が高められ、金属線材が凹部を有している分だけ表面積が大きくなっているため、燃焼ガスの冷却効果が高められている。
さらに金属線材同士の接触面積も十分に確保されているため、前記ガス発生器用フィルタ全体の剛性も維持されている。
【図面の簡単な説明】
【００３９】
【図１】本発明のガス発生器用フィルタを含むガス発生器の軸方向断面図と、前記ガス発生器用フィルタの斜視図。
【図２】本発明のガス発生器用フィルタの製造に使用する金属線材の凹部がある面を上にした平面図。
【図３】図２のIII−III間の断面図。
【図４】（ａ）〜（ｄ）は、幅方向の断面形状が長方形であり、それぞれの凹部の形状が異なる金属線材の図２のIV−IV間の断面図、（ｅ）〜（ｈ）は、幅方向の断面形状が円形であり、それぞれの凹部の形状が異なる金属線材の図２のIV−IV間の断面図、
【図５】（ａ）は、さらに別実施形態の金属線材の部分斜視図、（ｂ）は、さらに別実施形態の金属線材の部分斜視図。
【図６】（ａ）は、本発明のガス発生器用フィルタの製造に使用する金属線材の製造方法の説明図、（ｂ）は（ａ）の製造方法で得られた金属線材の部分斜視図、（ｃ）は（ａ）の製造方法で得られた別実施形態の金属線材の部分斜視図。
【図７】本発明の別実施形態のガス発生器用フィルタを含むガス発生器の軸方向断面図と、前記ガス発生器用フィルタの斜視図。
【図８】図７に示すガス発生器用フィルタの製造方法の説明図。
【図９】図７に示すガス発生器用フィルタの製造方法の説明図であり、図８に示す状態の後工程の説明図。
【図１０】図７に示すガス発生器用フィルタの別実施形態の製造方法の説明図。
【発明を実施するための形態】
【００４０】
（１）図１に示すガス発生器に使用するガス発生器用フィルタ
図１に示すガス発生器１は、本発明の筒状のガス発生器用フィルタ（以下「筒状フィルタ」という）１０を有している。
ガス発生器１は、筒状フィルタ１０を除いて公知のガス発生器と同じものであり（特開２００５−１９３７６２公報の図４）、本発明の筒状フィルタ１０は、図１と同様のガス発生剤をガス発生源とするディスク形状の公知のガス発生器のフィルタとして使用することができる。
筒状フィルタ１０は内周面１１と外周面１２を有しており、筒状フィルタ１０の内部（内周面１１の内側）はガス発生剤３が収容された燃焼室２となっており、外周面１２はガス排出口４に面している。
筒状フィルタ１０は、図１中の拡大図に示すとおり、金属線材２０が巻き付けられてなるものである。
【００４１】
＜金属線材＞
金属線材２０は、図２、図３に示すとおり、第１面２１、第１面２１とは厚さ方向反対側の第２面２２、第１側面部２４、第２側面部２５からなるものである。
金属線材２０は、第１面２１側に金属線材の長さ方向に間隔をおいて複数の凹部２３を有しているものであり、第１面２１の反対側の第２面２２、第１側面部２４、第２側面部２５には凹部は形成されていない。
図２、図３では、複数の凹部２３は長さ方向に均等間隔で形成されているが、凹部２３同士の間隔を異ならせたものでもよい。
金属線材２０の幅方向の断面形状は、巻き付け作業ができるものであれば特に制限されるものではなく、例えば、図４（ａ）〜（ｄ）に示す長方形（または角部が丸い長方形）、図４（ｅ）〜（ｈ）に示す円形にすることができるほか、正方形、楕円形などにすることができる。
図４（ｅ）〜（ｈ）に示す断面が円形の金属線材２０の場合、第１面２１は凹部２３がある部分を含む１／２円周に相当する面であり、残部が第２面２２である。
【００４２】
図４（ａ）〜（ｈ）に示す凹部２３の幅は、金属線材２０の幅（直径）よりも短い実施形態と金属線材２０の幅（直径）と同じ実施形態のいずれでもよい。
図４（ａ）は、断面形状が角部の丸い矩形である金属線材２０の幅方向中間部を含む一部に凹部２３が形成されており、凹部２３は第１面２１内に形成されている。なお、凹部２３の形状は、図４（ｅ）に示すような半球状のような形状でもよいし、他の形状でもよく、以下の図４（ｂ）〜（ｄ）に示す実施形態においても同様である。
図４（ｂ）は、断面形状が角部の丸い矩形である金属線材２０の幅方向中間部から第１側面２４にかけて凹部２３が形成されている。
図４（ｃ）は、断面形状が角部の丸い矩形である金属線材２０の幅方向中間部を含む部分を残し、第１側面部２４と第２側面部２５側に２箇所の凹部２３が形成されている。
図４（ｄ）は、断面形状が角部の丸い矩形である金属線材２０の幅方向に対向する第１側面部２４から第２側面部２５まで溝状の凹部２３が形成されているものであり、図５（ａ）の斜視図に示すようなものである。
【００４３】
図４（ｅ）は、断面が円形の金属線材２０の直径の中間部を含む一部に凹部２３が形成されており、凹部２３は第１面２１内に形成されている。なお、凹部２３の形状は、図４（ａ）に示すような直方体形状のものでもよいし、他の形状でもよく、以下の図４（ｆ）〜（ｈ）に示す実施形態においても同様である。
図４（ｆ）は、断面が円形の金属線材２０の直径の中間部またはその近傍から外周面にかけて凹部２３が形成されている。
図４（ｇ）は、断面が円形の金属線材２０の直径の中間部を含む部分を残し、両側の外周面にかけて２箇所の凹部２３が形成されている。
図４（ｈ）は、断面が円形の金属線材２０の半径方向に対向する外周面にわたって溝状の凹部２３が形成されており、凹部２３は金属線材２０の全周の１／３以下の面にわたるものである。図４（ｈ）は、図５（ｂ）の斜視図に示すようなものである。
【００４４】
図４（ａ）〜（ｈ）に示す凹部２３の深さ（深さが異なる場合は、最も深い部分）は、金属線材２０自体の強度を維持するため、金属線材２０の厚さ（直径）の１／２〜１／４の範囲に調整されている。
凹部２３の平面形状は特に制限されるものではなく、円形またはそれに近似した形状、四角形またはそれに近似した形状などにすることができる。
凹部２３の間隔は、凹部２３の平面形状が直径（Ｄ）の円形であるとき、金属線材２０自体の強度を維持するため、一つの凹部２３と隣接する凹部２３の間隔は２Ｄ以上に調整されていることが好ましい。
凹部２３の間隔は同一でなくてもよく、金属線材２０の第１面２１の長さ方向の位置に応じて短い間隔で形成されていたり、長い間隔で形成されていたりしてもよい。
【００４５】
図６（ａ）〜（ｃ）により図２、図３および図４（ａ）、図４（ｅ）に示す凹部２３を有する金属線材２０の製造方法を説明する。
凹部２３を有する金属線材２０は、成形用ダイ４０と成形用ローラー４５の組み合わせにより製造することができる。
成形ダイ４０は、面４１に成形用溝４２を有している。成形用溝４２には、凹部２３が形成される前の金属線材（金属線材前駆体）１５が嵌め込まれた状態で固定されている。金属線材前駆体１５は、成形用溝４２に嵌め込まれることで、成形用溝４２の幅方向の断面形状に対応した断面形状に成形される。
成形用ローラー４５は、円板形状のものであり、周面４６には周方向に間隔をおいて複数の凸部４７が形成されている。
【００４６】
凹部２３の形成方法は次のとおりである。
成形用ダイ４０の成形用溝４２に固定された金属線材前駆体１５の第１面２１に対して、成形用ローラー４５を回転させながら周面４６の凸部４７を連続的に押しつけることで、所定間隔（凸部４７の間隔）をおいて複数の凹部２３を連続的に形成する。また成形用ローラー４５を金属線材前駆体１５に押し付けることで、金属線材を成形用溝４２の断面形状に対応した形に変形させる。
このようにして図６（ｂ）、（ｃ）に示すような金属線材２０を製造することができる。
図４（ｂ）〜（ｄ）、図４（ｆ）〜（ｈ）に示す金属線材２０は、図６（ａ）に示す成形用ローラー４５に代えて、それぞれの凹部２３の形状に対応した凸部を有する成形用ローラーを使用して製造することができる。
【００４７】
＜筒状フィルタ１０＞
図１に示す筒状フィルタ１０は、金属線材図２〜図４に示す金属線材２０の凹部２３を有する第１面２１が、筒状フィルタ１０の内周面１１側を向いた状態で巻き付けられてなるものである。
金属線材２０の凹部２３は、筒状フィルタ１０の内周面１１から外周面１２を形成する金属線材２０の内側まで存在している。
筒状フィルタ１０は、焼結することで金属線材２０同士の接触部分の全部または一部が接合されることで強度が付与されている。
【００４８】
筒状フィルタ１０は、内周面１１の面積中の凹部２３の占有面積（ａ１）が５０％以上のものにすることができる。
このように内周面１１における凹部２３の占有面積を５０％以上にすることで、筒状フィルタ１０を図１に示すガス発生器１に使用したとき、燃焼室２で発生した燃焼ガスが筒状フィルタ１０の内周面１１から外周面１２を通過してガス排出口４から排出される過程において、燃焼ガス中に含まれている燃焼ガスが凹部２３で捕捉されやすくなるため好ましい。
【００４９】
筒状フィルタ１０は、厚さ（ｔ）（内周面１１から外周面１２までの距離）のうち、内周面１１から１／２ｔ以下までの厚さ範囲（内側半分の厚さ範囲）の内周面１１側の線材２０の面積中の凹部２３の占有面積（ａ２）が５０％以上であり、内周面１１から１／２ｔ厚さ位置から外周面１２までの厚さ範囲（外側半分の厚さ範囲）の内周面１１側の線材２２０の面積中の凹部２３の占有面積（ａ３）が５０％未満であるものにすることができる。
内側半分の厚さ範囲における凹部２３の占有面積を５０％以上にすることで、筒状フィルタ１０を図１に示すガス発生器１に使用したとき、燃焼室２で発生した燃焼ガスが筒状フィルタ１０の内周面１１から外周面１２を通過してガス排出口４から排出される過程において、燃焼ガス中に含まれている燃焼ガスが凹部２３で捕捉されやすくなるため好ましい。
外側半分の厚さ範囲における凹部２３の占有面積を５０％未満にすることで、厚さ方向に隣接する金属線材２０同士の接触部分の面積が増加する。このため、前記接触部分を接合させることで、筒状フィルタ１０の外側半分の厚さ範囲の剛性が大きくなるので、筒状フィルタ１０全体の形状保持および強度保持の点からより好ましい。
【００５０】
（２）図１に示す筒状フィルタ１０の製造方法
第１工程では、金属製の芯棒に対して金属線材２０を巻き付けていくが、複数の凹部２３を有する第１面２１が内側（芯棒に向く側）になるように巻き付けていく。
このようにして巻き付けていくことで、金属線材２０の全ての凹部２３は、筒状フィルタ１０の内周面１１側を向いた状態で存在していることになる。
【００５１】
第２工程では、第１工程で金属製の芯棒に巻き付けられた金属線材２０から芯棒を抜き取って焼結して、巻き付けられた金属線材２０同士の接触部分の全部または一部を接合して一体化する。
そして、図１に示す筒状フィルタ１０を得る。
【００５２】
また上記したように筒状フィルタ１０が内側半分の厚さ範囲と外側半分の厚さ範囲の凹部２３の占有面積が異なるものの場合には、上記の第１工程において、次のような金属線材２０を使用する。
金属線材２０として、巻き始め部となる第１端部から、巻き終わり部となる第２端部寄りになるにつれて凹部２３の長さ方向の形成間隔が広くなっているものを使用する。
これは芯棒に金属線材を巻きつけるにしたがって、筒状フィルタの外径が大きくなるために、半径方向に隣接する線材との接触間隔が変わってくるので、それを考慮して凹部２３の間隔を調整する。
【００５３】
（３）図７に示すガス発生器用フィルタ
図７に示すガス発生器100は、本発明の円柱状のガス発生器用フィルタ（以下「円柱状フィルタ」という）110を除いて公知のガス発生器と同じものであり（WO2015/025643公報の図１）、本発明の筒状フィルタ110は、図７と同様のガス発生剤をガス発生源とする筒形状の公知のガス発生器のフィルタとして使用することができる。
円柱状フィルタ110は、燃焼室101に面した第１面111、反対側の第２面112、周面113を有している。
ガス発生器100の内部はガス発生剤102が収容された燃焼室101となっている。
【００５４】
図７に示す円柱状フィルタ110は、図８、図９に示すように、集合体ユニット120が複数積層された積層体150A、150Bの焼結体が円柱状に切断されたものである。
一つの集合体ユニット120は、第１金属線材群130と第２金属線材群140の組み合わせからなるものである。
【００５５】
第１金属線材群130は、図２、図３に示す凹部２３を有している金属線材２０（２０ａ〜２０ｅ）が、それぞれの凹部２３が露出されるようにして、かつ間隔をおいて複数本が並列配置されたものである。図８では５本の第１金属線材２０（２０ａ〜２０ｅ）が配置されているが本数は特に制限はなく、例えば５〜２０本にすることができる。
第２金属線材群140は、図２、図３に示す凹部２３を有している第２金属線材２０（２０ａ〜２０ｅ）が、第１金属線材群130の凹部２３を有する第１面２１の上で、かつ第１金属線材群130と直角に交差する方向に間隔をおいて複数本が並列配置されたものである。また第２金属線材２０（２０ａ〜２０ｅ）の凹部２３は、第１金属線材２０（２０ａ〜２０ｅ）の凹部２３と同じ方向を向いている。
第１金属線材群130と第２金属線材群140を形成する金属線材２０の幅方向の断面形状は、図４（ａ）〜（ｈ）に示すものにすることができるが、図４（ａ）〜（ｄ）に示すような幅方向の断面形状が長方形またはそれに近似した形状のものが好ましい。また図４（ｅ）〜（ｈ）で示す幅方向の断面形状が円形（または楕円形）のものを使用するときは、第１面２１と第２面の２２の一部が平坦面になるように加工したものを使用することが好ましい。
図８に示す一つの集合体ユニット120は、第１金属線材群130の凹部２３の直上には第２金属線材群140が存在しておらず、第１金属線材群130の凹部２３は露出された状態にある。
第２金属線材群140の凹部２３も全て露出された状態にあるため、一つの集合体ユニット120の全ての凹部２３が金属線材２０で覆われておらず、露出された状態にある。
【００５６】
図９は、複数の集合体ユニット120が積層された積層体150A、150Bの側面図を示している。複数の集合体ユニット120は、凹部２３が全て同じ向きになるように積層されている。
図９（ａ）は、図８に示す複数の集合体ユニット120をそのまま積層した積層体150Aであり、図９（ｂ）は、上下方向に隣接する集合体ユニット120同士の積み重ね位置をずらしながら積層した積層体150Bである。
積層体150Bは、上下方向に隣接する集合体ユニット120同士が互いにずらされることで、それぞれの集合体ユニット120が有している第２金属線材群140の凹部２３の上に他の集合体ユニット120の第１金属線材群130ができるだけ位置しないように調整されている。
円柱状フィルタ110は、図９（ａ）、（ｂ）に示す積層体150A、150Bが焼結されたもの、または積層体150A、150Bが圧縮され、焼結されたものが円柱状に打ち抜かれたものである。
図７のガス発生器に使用される円柱状フィルタ110は、図８で示す集合体ユニット120を複数積層させたもの以外に、図８の集合体ユニット120そのものを使用してもよい。
【００５７】
図７に示す円柱状フィルタ110は、図８に示す集合体ユニット120に代えて、図１０に示す集合体ユニット120Aを使用することができる。
集合体ユニット120Ａは、５本の第１金属線材２０（２０ａ〜２０ｅ）と５本の第２金属線材２０（２０ａ〜２０ｅ）が、図８と同様に９０度に交差するように組み合わされているが、第１金属線材２０（２０ａ〜２０ｅ）と５本の第２金属線材２０（２０ａ〜２０ｅ）が図１０に示すように織り込まれているものである。
図１０は、図８において、第１金属線材群130に相当する５本の第１金属線材２０（２０ａ〜２０ｅ）と第２金属線材群140の内の第１金属線材２０ａが織り込まれた形態が示されている。なお、図１０は、第１金属線材２０（２０ａ〜２０ｅ）と第２金属線材２０（２０ａ〜２０ｅ）の織り込み状態が分かるように示しているものであり、第１金属線材２０（２０ａ〜２０ｅ）と第２金属線材２０（２０ａ〜２０ｅ）の径の大小関係は無視している。
図１０に示す集合体ユニット120Aにおいても、全ての凹部２３は同一方向に向けられた状態で露出されている。
【００５８】
（４）図７に示す円柱状フィルタ110の製造方法
図７に示す円柱状フィルタ110の製造方法を説明する。
第１工程では、第１金属線材群130の上に第２金属線材群140を置き、接触部分を固定して図８に示す集合体ユニット120を製造する。
第１金属線材群130の上に第２金属線材群140を置くとき、第１金属線材群130の凹部２３を有している第１面２１の上で、第１面２１の凹部２３がない部分の上に前記第２金属線材群140の凹部２３を有していない第２面２２を置く。第２金属線材群140は、第１金属線材群130の長さ方向と交差する方向に置く。図８に示す交差角度は９０度である。
積層体ユニット120（第１金属線材群130と第２金属線材群140）の接触部分は、焼結することで接合させる。集合体ユニット120の接触部分の固定は、次工程で積層できる程度の強度を有してればよい。
【００５９】
図８に示す集合体ユニット120に代えて図１０に示す集合体ユニット120Aを使用するときは、図１０に示すように第１金属線材２０ａ〜２０ｅと第２金属線材２０ａ〜２０ｅ（但し、図示しているものは第２金属線材２０ａのみ）を織り込んで行き、集合体ユニット120Aを製造する。
集合体ユニット120Aは、第１金属線材群130と第２金属線材群140が互いに織り込まれているため、図８に示す集合体ユニット120のように第１金属線材群130と第２金属線材群140を固定する必要はない。
【００６０】
第２工程では、集合体ユニット120（または集合体ユニット120A）を複数積層した後、焼結することで接触部分の全部または一部を融着して、図９（ａ）に示すような積層体150Aを得る。
また図９（ｂ）に示すように上下方向に隣接する集合体ユニット120同士を互いにずらすことで、下方の集合体ユニット120（または集合体ユニット120A）が有している第２金属線材群140の凹部２３の上に、上方の第１金属線材群130の凹部２３を有していない面が位置しないように調整して、積層体150Bを得ることもできる。
その後、図９（ａ）、（ｂ）に示す積層体150A、150Bは、焼結することで各集合体ユニット120（または集合体ユニット120A）同士の接触部分の全部または一部を融着接合させる。なお、積層体150A、150Bは、密度を高めるため、焼結前に圧縮成形することができる。
【００６１】
第３工程では、第２工程で得た積層体150A、150Bを白矢印の方向に円柱状に打ち抜いて、目的とするフィルタ110を製造する。
得られた円柱状フィルタ110は、全ての凹部２３が第１面111側を向いている。
円柱状フィルタ110を図７に示すようにガス発生器100内に配置すると、燃焼室101内のガス発生剤102が燃焼して発生した燃焼ガスは、円柱状フィルタ110の第１面111から第２面112を通ってガス排出口103から排出される。
このため、燃焼ガス中に含まれている燃焼残渣は、円柱状フィルタ110の凹部２３により捕捉されやすくなっている。なお、第３工程を第２工程より先に行うこともできる。この場合、図８または図１０で示す集合体ユニットの状態で先に所望の形状に打ち抜き、それらを複数重ねて焼結し、積層体を形成する。
【産業上の利用可能性】
【００６２】
本発明のガス発生器用フィルタは、自動車に搭載するエアバッグ装置で使用するガス発生器のうち、ガス発生源としてガス発生剤を使用するガス発生器用のフィルタとして利用することができる。
【符号の説明】
【００６３】
１  ガス発生器
１０  筒状フィルタ
２０  金属線材
２３  凹部
100  ガス発生器
110  円柱状フィルタ
120、120A  集合体ユニット
130  第１金属線材群
140  第２金属線材群
150A、150B  積層体
【図１】
2019182175.tif 000002
【図２】
2019182175.tif 000003
【図３】
2019182175.tif 000004
【図４】
2019182175.tif 000005
【図５】
2019182175.tif 000006
【図６】
2019182175.tif 000007
【図７】
2019182175.tif 000008
【図８】
2019182175.tif 000009
【図９】
2019182175.tif 000010
【図１０】
2019182175.tif 000011